【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
電池を用いて駆動し、表示対象であるコンテンツの各ページを記憶性表示体に切換表示させる表示装置であって、
前記電池の残量を検出する残量検出手段と、前記残量検出手段で検出された電池の残量と前記コンテンツの切換表示可能なページ数との対応関係を報知する報知手段とを備え、
前記報知手段は、前記記憶性表示体に表示させるコンテンツを利用者が選択するときに、前記対応関係を利用者に報知することを特徴とする表示装置。
【請求項２】
前記報知手段は、前記記憶性表示体に表示されているコンテンツの残りページの切換表示に要する消費電力を算出し、前記算出された消費電力の結果と前記残量検出手段で検出された残量とに基づいて前記報知を行うことを特徴とする請求項１に記載の表示装置。
【請求項３】
前記報知手段は、前記算出された消費電力を前記残量検出手段で検出された電池の残量から減じた値が所定閾値以下であるときには、前記電池の残量と前記算出された消費電力との差が小さいことを報知することを特徴とする請求項２に記載の表示装置。
【請求項４】
前記算出された消費電力を前記残量検出手段で検出された電池の残量から減じた値が所定閾値以下であるときに、前記記憶性表示体に表示中のページから次ページへのみ切換表示可能とさせる表示動作制限手段を備えたことを特徴とする請求項２又は３に記載の表示装置。
【請求項５】
前記報知手段は、前記残量検出手段で検出された電池の残量に基づいて前記記憶性表示体に切換表示可能な最大のページ数を算出し、前記算出された最大ページ数が所定の基準ページ数以上であるときには当該基準ページ数以上の閲覧が可能であることを報知し、さらに、前記基準ページ数を複数設定可能としたことを特徴とする請求項１に記載の表示装置。
【請求項６】
前記報知手段は、前記算出されたページ数が前記複数の基準ページ数のうち最も小さい基準ページ数より小さいときには、前記算出されたページ数をそのまま報知することを特徴とする請求項５に記載の表示装置。
【請求項７】
前記残量検出手段で検出された電池の残量の変化に基づいて前記切換表示によって消費された消費電力を算出する消費電力算出手段を備え、
前記報知手段は、前記残量検出手段で検出された電池の残量と前記消費電力算出手段で算出された消費電力とに基づいて前記記憶性表示体に切換表示可能なページ数を算出することを特徴とする請求項５又は６に記載の表示装置。
【請求項８】
前記報知手段は、前記残量検出手段で検出された電池の残量と前記記憶性表示体の駆動方法とに基づいて前記記憶性表示体に切換表示可能なページ数を算出することを特徴とする請求項５から７のいずれか１項に記載の表示装置。
【請求項９】
前記記憶性表示体の温度を検出する温度検出手段を備え、
前記報知手段は、前記残量検出手段で検出された電池の残量と前記温度検出手段で検出された温度とに基づいて前記記憶性表示体に切換表示可能なページ数を算出することを特徴とする請求項５から８のいずれか１項に記載の表示装置。
【請求項１０】
稼働時間に応じて電力消費量が変化する特定回路に電力を供給する特定回路用電池と、前記切換表示に用いる電池とを備え、
前記残量検出手段は、前記切換表示に用いる電池の残量を検出することを特徴とする請求項１から９のいずれか１項に記載の表示装置。
【手続補正２】
【補正対象書類名】明細書
【補正対象項目名】０００１
【補正方法】変更
【補正の内容】
【０００１】
本発明は、表示対象であるコンテンツの各ページを記憶性表示体、つまり、電力の供給を止めてもそれまでの表示内容を保持可能な表示体に切換表示させる電池駆動型の表示装置に関する。
【手続補正３】
【補正対象書類名】明細書
【補正対象項目名】０００５
【補正方法】変更
【補正の内容】
【０００５】
上記課題を解決するために、第１の発明の表示装置は、電池を用いて駆動し、表示対象であるコンテンツの各ページを記憶性表示体に切換表示させる表示装置であって、前記電池の残量を検出する残量検出手段と、前記残量検出手段で検出された電池の残量と前記コンテンツの切換表示可能なページ数との対応関係を報知する報知手段とを備えたことを特徴とする。
また、第２の発明である表示装置は、前記報知手段は、前記記憶性表示体に表示させるコンテンツを利用者が選択するときに、前記対応関係を利用者に報知することを特徴とする。
【手続補正４】
【補正対象書類名】明細書
【補正対象項目名】０００６
【補正方法】変更
【補正の内容】
【０００６】
さらに、第３の発明である表示装置は、前記報知手段は、前記記憶性表示体に表示されているコンテンツの残りページの切換表示に要する消費電力を算出し、前記算出された消費電力の結果と前記残量検出手段で検出された残量とに基づいて前記報知を行うことを特徴とする。
また、第４の発明である表示装置は、前記報知手段は、前記算出された消費電力を前記残量検出手段で検出された電池の残量から減じた値が所定閾値以下であるときには、前記電池の残量と前記算出された消費電力との差が小さいことを報知することを特徴とする。
【手続補正５】
【補正対象書類名】明細書
【補正対象項目名】０００７
【補正方法】変更
【補正の内容】
【０００７】
さらに、第５の発明である表示装置は、前記算出された消費電力を前記残量検出手段で検出された電池の残量から減じた値が所定閾値以下であるときに、前記記憶性表示体に表示中のページから次ページへのみ切換表示可能とさせる表示動作制限手段を備えたことを特徴とする。
また、第６の発明の表示装置は、前記報知手段は、前記残量検出手段で検出された残量に基づいて前記記憶性表示体に切換表示可能な最大のページ数を算出し、前記算出された切換表示可能な最大のページ数に基づいて前記報知を行うことを特徴とする。
【手続補正６】
【補正対象書類名】明細書
【補正対象項目名】０００８
【補正方法】変更
【補正の内容】
【０００８】
さらに、第７の発明の表示装置は、前記報知手段は、前記算出された切換表示可能な最大のページ数が基準ページ数以上であるときには、基準ページ数以上の閲覧が可能であることを報知することを特徴とする。
また、第８の発明の表示装置は、前記基準ページ数を複数設定可能としたことを特徴とする。
さらに、第９の発明の表示装置は、前記報知手段は、前記算出されたページ数が前記複数の基準ページ数のうち最も小さい基準ページ数より小さいときには、前記算出されたページ数をそのまま報知することを特徴とする。
【手続補正７】
【補正対象書類名】明細書
【補正対象項目名】００１２
【補正方法】変更
【補正の内容】
【００１２】
さらに、第１３の発明である表示装置は、稼働時間に応じて電力消費量が変化する特定回路に電力を供給する特定回路用電池と、前記切換表示に用いる電池とを備え、前記残量検出手段は、前記切換表示に用いる電池の残量を検出することを特徴とする。
また、第１４の発明である表示装置は、自己の表示装置の制御処理において生成されるデータの保存に用いられるメモリを、不揮発性メモリとしたことを特徴とする。
【手続補正８】
【補正対象書類名】明細書
【補正対象項目名】００１４
【補正方法】変更
【補正の内容】
【００１４】
以下、本発明に係る画像表示装置として、所定のページに区切られた電子ブックのコンテンツを閲覧するための電子ブックリーダの実施形態を図面に基づいて説明する。
図１は、本発明の一実施形態の外形を示す概略構成図であり、図２は、本発明の一実施形態の内部構成を示すブロック図である。この図２に示すように、電子ブックリーダ１は、ＣＰＵ（Central Processing Unit ）２、ＲＡＭ（Random Access Memory）３、ＲＯＭ４、ページ送りボタン５、ページ戻しボタン６、連続送りボタン７及び決定ボタン８が接続されたＩ／Ｏ９、ＶＲＡＭ（Video Ram）１０、ディスプレイコントローラ１１、表示装置１２、タッチパネル１３が接続されたタッチパネルＩ／Ｏ１４、電池残量検出回路１５及び表示体用温度センサ１６を含んで構成される。そして、ページ送りボタン５、ページ戻しボタン６、連続送りボタン７、決定ボタン８、表示装置１２、タッチパネル１３及び表示体用温度センサ１６を除く各部はバス１８で互いに信号を授受可能に接続されている。
【手続補正９】
【補正対象書類名】明細書
【補正対象項目名】００１８
【補正方法】変更
【補正の内容】
【００１８】
また、ＲＡＭ３は、ＣＰＵ２が各種プログラムに従って上記処理を実行するときに、各種プログラムを展開するワークエリアを形成する。また、ＲＡＭ３は、ＣＰＵ２により実行される各種処理に係るデータを展開するためのメモリ領域を形成する。なお、ＲＡＭ３としては、ＦｅＲＡＭ（Ferroelectric Random Access Memory）やＭＲＡＭ(Magnetoresistive random access memory)等の不揮発性メモリを使用する。
【手続補正１０】
【補正対象書類名】明細書
【補正対象項目名】００１９
【補正方法】変更
【補正の内容】
【００１９】
このように、本実施形態の電子ブックリーダ１にあっては、ＲＡＭ３として不揮発性メモリを使用するようにした。そのため、利用者によるコンテンツの閲覧時間に関わらず、１ページ分のコンテンツの表示に消費されるＲＡＭ３の消費電力を一定とすることができ、表示可能ページ数を容易に算出することができる。ちなみに、ＲＡＭ３として前記駆動用電池の電力を消費するDRAM等の揮発性メモリを使用する方法では、コンテンツの閲覧時間に応じてＲＡＭ３の消費電力が変化してしまい、表示可能ページ数を精度よく算出することが困難となる。
【手続補正１１】
【補正対象書類名】明細書
【補正対象項目名】００２１
【補正方法】変更
【補正の内容】
【００２１】
また、Ｉ／Ｏ９は、次ページのコンテンツを表示装置１２に切換表示させるためのページ送りボタン５、前ページのコンテンツを表示装置１２に切換表示させるためのページ戻しボタン６、次ページのコンテンツを表示装置１２に次々と切換表示させるための連続送りボタン７及び決定ボタン８が接続されている。そして、Ｉ／Ｏ９は、ページ送りボタン５が押下操作されるとページ送り信号をＣＰＵ２に出力する。また、Ｉ／Ｏ９は、ＣＰＵ２から禁止信号が出力されているか否かを判定し、禁止信号が出力されていない場合には、ページ戻しボタン６が押下操作されるとページ戻し信号をＣＰＵ２に出力し、また、連続送りボタン７が押下操作されると連続送り信号をＣＰＵ２に出力する。一方、禁止信号が出力されている場合には、ページ戻し信号の出力と連続送り信号の出力とを禁止する。
【手続補正１２】
【補正対象書類名】明細書
【補正対象項目名】００２２
【補正方法】変更
【補正の内容】
【００２２】
さらに、ＶＲＡＭ１０は、ＣＰＵ２からの書き込み要求に従って、ラスタデータを格納する。また、ＶＲＡＭ１０は、ディスプレイコントローラ１１からの読み出し要求に従って、そのラスタデータをディスプレイコントローラ１１に出力する。
また、ディスプレイコントローラ１１は、ＶＲＡＭ１０に格納されているラスタデータを読み出し、その読み出されたラスタデータに基づいてゲートドライバ駆動用データ及びソースドライバ駆動用データを生成する。そして、ディスプレイコントローラ１１は、その生成されたゲートドライバ駆動用データ及びソースドライバ駆動用データを表示装置１２の後述するゲートドライバ２０及びソースドライバ２１に分配出力する。
【手続補正１３】
【補正対象書類名】明細書
【補正対象項目名】００２３
【補正方法】変更
【補正の内容】
【００２３】
また、表示装置１２は、複数の画素がアレイ状に形成されたコレステリック液晶パネル１９、つまり、電力の供給を止めてもそれまでの表示内容を保持可能な液晶からなるパネルを中央に有し、そのコレステリック液晶パネル１９の平面視左側には、ゲートドライバ２０が配され、平面視上側には、ソースドライバ２１が配されている。そして、表示装置１２は、ディスプレイコントローラ１１から出力されるゲートドライバ駆動用データ及びソースドライバ駆動用データに従って、任意の画素に前記所定の電圧をゲートドライバ２０及びソースドライバ２１が印加し、コンテンツの画像をコレステリック液晶パネル１９に表示する。なお、コレステリック液晶パネル１９の駆動方式としては、１走査線ずつ描画するシングルライン駆動方式や複数走査線を同時に描画するマルチライン駆動方式等を挙げることができる。
【手続補正１４】
【補正対象書類名】明細書
【補正対象項目名】００２４
【補正方法】変更
【補正の内容】
【００２４】
また、タッチパネルＩ／Ｏ１４は、コレステリック液晶パネル１９の前面側を覆うタッチパネル１３が接続されている。そして、タッチパネルＩ／Ｏ１４は、タッチパネル１３が押圧操作されると操作位置を示すタッチパネル信号をＣＰＵ２に出力する。
さらに、電池残量検出回路１５は、図３に示すように、Ａ／Ｄコンバータ２２、電圧データラッチ２３、電池用温度センサ２４、内部ＲＯＭ２５、制御回路２６及び演算器２７を含んで構成される。
【手続補正１５】
【補正対象書類名】明細書
【補正対象項目名】００２５
【補正方法】変更
【補正の内容】
【００２５】
これらのうちＡ／Ｄコンバータ２２は、電子ブックリーダ１の駆動用電池の電圧データを検出し、その検出された電圧データをデジタル化する。そして、Ａ／Ｄコンバータ２２は、そのデジタル化された電圧を電圧データラッチ２３に出力する。
また、電圧データラッチ２３は、Ａ／Ｄコンバータ２２から出力されるデジタル化された電圧データをラッチし、そのラッチされた電圧データを演算器２７に出力する。
【手続補正１６】
【補正対象書類名】明細書
【補正対象項目名】００２７
【補正方法】変更
【補正の内容】
【００２７】
さらに、制御回路２６は、内部ＲＯＭ２５に格納されている制御マップを参照し、電池用温度センサ２４で検出された温度に基づいて電子ブックリーダ１の駆動用電池の閾値電圧を算出し、その算出された閾値電圧を演算器２７に出力する。
また、演算器２７は、電圧データラッチ２３から出力される電圧データと制御回路２６から出力される閾値電圧とに基づいて電子ブックリーダ１の駆動用電池が出力可能な電力、つまり駆動用電池の使用可能残量を算出し、その算出された駆動用電池の使用可能残量をＣＰＵ２に出力する。
【手続補正１７】
【補正対象書類名】明細書
【補正対象項目名】００３７
【補正方法】変更
【補正の内容】
【００３７】
このように本実施形態の電子ブックリーダ１によれば、閲覧しているコンテンツの残りページを現在の電池の残量で読み終わることができるのか否かを容易に判断できる表示、つまり記憶性表示体に適する残量報知を行うことができる。したがって、例えば、駆動用電池の使用可能残量で切換表示できるページ数が少ないときには、ページ送り以外の操作を極力避けた閲覧方法とするというように、利用者は駆動用電池の使用可能残量に応じた適切な閲覧方法を採用することができる。
【手続補正１８】
【補正対象書類名】明細書
【補正対象項目名】００４２
【補正方法】変更
【補正の内容】
【００４２】
また、コレステリック液晶パネル１９を用いる例を示したが、これに限られるものではない。例えば、電気泳動ディスプレイ等他の記憶性表示体を用いるようにしてもよい。
さらに、電子ブックリーダ１の駆動用電池とは別に、タッチパネル１３、タッチパネルＩ／Ｏ１４及び表示体用温度センサ１６等といった、電子ブックリーダ１の使用時間に応じて電力消費量が変化する特定回路に電力を供給する特定回路用電池を設けてもよい。
【手続補正１９】
【補正対象書類名】明細書
【補正対象項目名】００４４
【補正方法】変更
【補正の内容】
【００４４】
さらに、コンテンツの残りページの切換表示に要する消費電力を駆動用電池の使用可能残量から減じた減算結果が所定閾値以下であるときに、ページ戻し信号の出力と連続送り信号の出力とをＩ／Ｏ９に禁止させる例を示したが、これに限られるものではなく、例えば、駆動用電池の使用可能残量と前記消費電力との差が小さい旨を報知し、利用者に注意を促すようにしてもよい。この報知の方法としては、例えば、コレステリック液晶パネル１９にその旨を表示させるようにしてもよいし、他のサブディスプレイ等に表示させるようにしてもよい。また、スピーカ等に音声で報知させるようにしてもよい。
【手続補正２０】
【補正対象書類名】明細書
【補正対象項目名】００４６
【補正方法】変更
【補正の内容】
【００４６】
また、１ページ消費電力を算出する方法によれば、新たに算出された１ページ消費電力に基づいてデータテーブルを補正するようにしてもよい。そのようにすれば、コレステリック液晶パネル１９の消費電力のバラツキを適切に補正することができ、表示可能ページ数をより精度よく算出することができる。なお、データテーブルの補正時には、それまでデータテーブルに格納されていた１ページ消費電力と新たに算出された１ページ消費電力との間の平均値を補正結果としてもよく、また、それまでのデータテーブルに格納されていた１ページ消費電力に新たに算出された１ページ消費電力よりも大きい重みをつけて加算算出するようにしてもよい。
【手続補正２１】
【補正対象書類名】明細書
【補正対象項目名】００４８
【補正方法】変更
【補正の内容】
【００４８】
また、図５にコレステリック液晶パネル１９の温度を０℃〜６０℃の範囲で１０℃毎に区切ったデータテーブルを用意する例を示したが、これに限られるものではない。例えば、５℃毎に区切ったテーブルを用意するようにしていてもよい。また、１ページ消費電力がコレステリック液晶パネル１９の温度変化に応じて線形的に変化する記憶性表示体でなく、所定温度より小さいときに一定となり、所定温度以上であるときに指数的に変化する記憶性表示体である場合には、コレステリック液晶パネル１９の温度変化が所定温度より小さいときに温度の区切りを粗くし、所定温度以上であるときに温度の区切りを細かくするようにしてもよい。
【手続補正２２】
【補正対象書類名】明細書
【補正対象項目名】００４９
【補正方法】変更
【補正の内容】
【００４９】
さらに、表示可能ページ数をコンテンツと一緒に表示する例を示したが、これに限られるものではない。例えば、図１０に示すように、コレステリック液晶パネル１９に表示させるコンテンツを利用者に選択させるときに、選択可能なコンテンツである書籍の背表紙の画像と一緒に表示するようにしてもよい。そのようにすれば、コンテンツを選択するた
めの指標とすることができる。また、図１１に示すように、コンテンツを選択するときには書籍の背表紙の画像に重ねて、対応するコンテンツに含まれる切換表示可能なページ数の割合を示す棒グラフをそれぞれ表示させるようにしてもよい。そのようにすれば、現在の駆動用電池の使用可能残量で各コンテンツの何パーセントを読むことができるのかを知ることができ、コンテンツを選択するためのより分かりやすい指標とさせることができる。また、駆動用電池の使用可能残量で読み切ることができるコンテンツがない場合には、例えば、コンテンツの終盤近辺で電池切れが発生するコンテンツよりも、中盤部分で電池切れが発生するコンテンツを選択することもできる。すなわち、コンテンツの終盤近辺まで読み進んだにも関わらず、電池切れで読み終われないというストレスを与えてしまうことを防止することができる。